(57)【要約】      （修正有）【課題】貯湯給湯装置において、タンク出湯からバックアップ出湯に切り換わる際に、使用者に不要な不安感や不信感を極力与えてしまうことがなく、出湯温度の変動を低減可能なもの、等を提供することである。【解決手段】貯湯給湯装置１は、燃焼ガスによって湯水を加熱する為の熱交換器２２、この熱交換器２２をバイパスする為のバイパス通路２４、このバイパス通路２４を流れる湯水の流量を調整するバイパス流量調整弁２５等を備えた補助熱源機５と、貯湯タンク３の湯水の貯留状況に応じて又は貯湯タンク３からの湯水の出湯温度に応じて補助熱源機５の燃焼及び燃焼禁止を制御する制御ユニット９であって、給湯運転中に補助熱源機５の燃焼禁止状態を解除した際には、補助熱源機５を燃焼運転に移行させると共に、バイパス流量調整弁２５の開度をバイパス通路２４の流量が低減する絞り動作を行う制御ユニット９とを備えている。【選択図】図１
2016180539.tif 000002
【特許請求の範囲】
【請求項１】
高温の湯水を貯留する為の貯湯タンクと、この貯湯タンクの湯水を出湯する為の出湯通路と、この出湯通路の途中部に設けられ且つ前記出湯通路を流れる湯水を加熱する為の補助熱源機と、前記貯湯タンクの湯水の貯留状況に応じて又は前記貯湯タンクからの湯水の出湯温度に応じて前記補助熱源機の燃焼及び燃焼禁止を制御する制御手段とを備えた貯湯給湯装置において、
前記補助熱源機は、燃焼ガスによって湯水を加熱する為の熱交換器と、この熱交換器をバイパスする為のバイパス通路と、このバイパス通路を流れる湯水の流量を調整するバイパス流量調整手段とを備え、
前記制御手段は、給湯運転中に前記補助熱源機の燃焼禁止状態を解除した際には、前記補助熱源機を燃焼運転に移行させると共に、前記バイパス流量調整手段の開度を前記バイパス通路の流量が低減する絞り動作を行うことを特徴とする貯湯給湯装置。
【請求項２】
前記制御手段は、少なくとも前記補助熱源機の燃焼運転が開始される迄、前記バイパス流量調整弁の前記絞り動作を継続することを特徴とする請求項１に記載の貯湯給湯装置。
【発明の詳細な説明】
【技術分野】
【０００１】
本発明は貯湯給湯装置に関し、特に給湯運転中に貯湯タンクからの湯水を温度調整して出湯するタンク出湯から補助熱源機を使用して湯水の再加熱を行うバックアップ出湯に切り換わる際に出湯温度の変動を抑制するものに関する。
【背景技術】
【０００２】
従来から、高温の湯水を生成して貯湯し、給湯栓等の所望の給湯先に供給可能な貯湯給湯装置が実用に供されている。この種の貯湯給湯装置は、高温の湯水を貯留する為の貯湯タンクと、湯水混合弁等の各種の弁類や各種の通路類と、貯湯タンクの湯水を加熱する為の主熱源機と、貯湯タンクに貯留されている湯水温度が低い場合等に再加熱する為の補助熱源機と、これら主熱源機や補助熱源機等を制御する為の制御ユニット等を備えている。
【０００３】
上記の補助熱源機においては、燃焼ガスによって湯水を加熱する為の熱交換器と、この熱交換器をバイパスする為のバイパス通路と、このバイパス通路を流れる湯水の流量を調整する為のバイパス流量調整手段等を備えたバイパス式給湯器が採用されている場合がある。このような補助熱源機としてバイパス式給湯器が組み付けられた貯湯給湯装置は、種々の文献に開示されている。
【０００４】
例えば、特許文献１の給湯システムには、貯湯タンクと、給水管及び出湯管と、この出湯管の途中部に設けられたバイパス式給湯器を備え、さらに、このバイパス式給湯器をバイパスして出湯管の上流側と下流側を連通する出湯バイパス管と、この出湯バイパス管を開閉するバイパス弁を備え、給湯運転中、貯湯タンクに高温の湯水が十分にある場合には、給湯器による加熱を禁止し、バイパス弁を開弁状態にし、出湯バイパス管を介して混合湯水を出湯する構造が開示されている。
【０００５】
また、特許文献１の給湯システムには、給湯運転を再開する際に貯湯タンクの湯切れが生じていない場合には、バイパス弁を閉弁状態にし、運転停止中に出湯管の給水管との接続部から給水管に流れ込んだ高温の湯水を、出湯管の出湯バイパス管が分岐した分岐部から給湯器側に流し込んだ後に、バイパス弁を開弁状態にして給湯運転を実行することで、目標給湯温度よりも高い湯水が供給されることを防止する技術が開示されている。
【先行技術文献】
【特許文献】
【０００６】
【特許文献１】特許第５０５８１９３号公報
【発明の概要】
【発明が解決しようとする課題】
【０００７】
ところで、貯湯タンクの湯水の貯留状況等に応じて、貯湯タンクからの湯水を温度調整して出湯するタンク出湯から補助熱源機を使用して湯水の再加熱を行うバックアップ出湯に切り換わる際には、補助熱源機による湯水の過加熱を防止する為に、貯湯タンク側から出湯される湯水を所定温度まで一度下げてから、補助熱源機によって再加熱している。
【０００８】
しかし、貯湯タンク側と補助熱源機との間を接続する通信機器のデータ通信速度の影響や補助熱源機の燃焼運転への移行期間等によって、補助熱源機の燃焼禁止状態を解除してから補助熱源機の燃焼運転開始までの間に数秒〜１０数秒程度の遅延が生じる可能性があるので、補助熱源機からの出湯温度が一時的に低下することで出湯温度が大きく変動してしまう虞がある。
【０００９】
即ち、通常のタンク出湯時には、補助熱源機のバイパス流量調整弁は、バイパス通路の流量が多くなる弁ポジションに設定されているので、図４に示すように、補助熱源機の入水温度（又は貯湯タンクの出湯温度）を下げると、この低温の湯水が補助熱源機のバイパス通路を通って補助熱源機から直ぐに出湯されてしまい、補助熱源機の燃焼運転開始後に、バイパス流量調整弁を熱交換器側の流量が多くなる弁ポジションに移動させても、補助熱源機からの出湯温度が一時的に低下（例えば５ｍ先栓で６℃程度の低下）してしまう。
【００１０】
特許文献１の技術では、給湯運転の再開時に、出湯管の給水管との接続部から給水管に流れ込んだ目標給湯温度よりも高い湯水を、給湯器側に押し込むことで出湯バイパス管を通って外部に供給されることを防止する技術ではあるが、タンク出湯からバックアップ出湯に切り換わる際に補助熱源機からの出湯温度を安定化させる技術では無く、特許文献１の技術では、上記の課題を改善することは困難である。
【００１１】
本発明の目的は、貯湯給湯装置において、タンク出湯からバックアップ出湯に切り換わる際に、使用者に不要な不安感や不信感を極力与えてしまうことがなく、出湯温度の変動を低減可能なもの、等を提供することである。
【課題を解決するための手段】
【００１２】
請求項１の貯湯給湯装置は、高温の湯水を貯留する為の貯湯タンクと、この貯湯タンクの湯水を出湯する為の出湯通路と、この出湯通路の途中部に設けられ且つ前記出湯通路を流れる湯水を加熱する為の補助熱源機と、前記貯湯タンクの湯水の貯留状況に応じて又は前記貯湯タンクからの湯水の出湯温度に応じて前記補助熱源機の燃焼及び燃焼禁止を制御する制御手段とを備えた貯湯給湯装置において、前記補助熱源機は、燃焼ガスによって湯水を加熱する為の熱交換器と、この熱交換器をバイパスする為のバイパス通路と、このバイパス通路を流れる湯水の流量を調整するバイパス流量調整手段とを備え、前記制御手段は、給湯運転中に前記補助熱源機の燃焼禁止状態を解除した際には、前記補助熱源機を燃焼運転に移行させると共に、前記バイパス流量調整手段の開度を前記バイパス通路の流量が低減する絞り動作を行うことを特徴としている。
【００１３】
請求項２の貯湯給湯装置は、請求項１の発明において、前記制御手段は、少なくとも前記補助熱源機の燃焼運転が開始される迄、前記バイパス流量調整手段の前記絞り動作を継続することを特徴としている。
【発明の効果】
【００１４】
請求項１の発明によれば、制御手段は、給湯運転中に補助熱源機の燃焼禁止状態を解除した際には、補助熱源機を燃焼運転に移行させると共に、バイパス流量調整手段の開度をバイパス通路の流量が低減する絞り動作を行うので、タンク出湯からバックアップ出湯に切り換わる際の補助熱源機の燃焼運転への移行期間中は、補助熱源機の熱交換器側に溜まっている湯水を優先的に補助熱源機から出湯することで、バイパス通路を通って低温の湯水が出湯されるのを極力防止することができる。
【００１５】
即ち、補助熱源機の熱交換器側の配管保有水量は、一般的に、バイパス通路の配管保有水量と比較して多いので、バイパス流量調整手段をバイパス通路の流量を低減して熱交換器側の流量を増加するように調整することで、熱交換器側に溜まっていた給湯設定温度の湯水を一定時間出湯することができ、故に、補助熱源機からの出湯温度の低下を防止して出湯特性を改善することができ、使用者に不要な不安感や不信感を与えてしまうことを防止することができる。
【００１６】
請求項２の発明によれば、制御手段は、少なくとも補助熱源機の燃焼運転が開始される迄、バイパス流量調整手段の絞り動作を継続するので、タンク出湯からバックアップ出湯に切り換わる際の補助熱源機の燃焼運転への移行期間中は、補助熱源機から給湯設定温度の湯水を出湯可能である。補助熱源機の燃焼運転開始後には、バイパス流量調整手段は補助熱源機からの出湯温度が給湯設定温度となるように適宜調整される。
【図面の簡単な説明】
【００１７】
【図１】本発明の実施例に係る貯湯給湯装置の概略構成図である。
【図２】タンク出湯からバックアップ出湯に切り換わる際におけるアンダー抑制運転制御のフローチャートである。
【図３】タンク出湯からバックアップ出湯に切り換わる際における混合弁の出湯温度、補助熱源機の入水温度、補助熱源機の缶体温度、補助熱源機の出湯温度、５ｍ先栓温度の変化を示した線図である。
【図４】従来例に係るタンク出湯からバックアップ出湯に切り換わる際における混合弁の出湯温度、補助熱源機の入水温度、補助熱源機の出湯温度、５ｍ先栓温度の変化を示した線図である。
【発明を実施するための形態】
【００１８】
以下、本発明を実施するための形態について実施例に基づいて説明する。
【実施例】
【００１９】
先ず、本発明の貯湯給湯装置１の全体構造について説明する。
図１に示すように、貯湯給湯装置１は、貯湯、給湯、本実施例では省略するが浴槽への給湯及び浴槽の追焚き、床暖房パネル等の温水暖房端末への暖房水の供給等の機能を有するものであり、貯湯タンク３を備えた貯湯タンクユニット２、貯湯タンク３内の湯水の加熱を行う外部の主熱源機４、貯湯タンク３からの湯水の温度が設定温度以下である場合に再加熱を行う補助熱源機５、貯湯タンクユニット２や主熱源機４及び補助熱源機５等を制御する為の制御ユニット９等を備えている。
【００２０】
本実施例の貯湯給湯装置１において、貯湯タンクユニット２と補助熱源機５とは、離隔して（例えば１．５ｍ〜１０ｍ程度離して）設置されている。貯湯タンクユニット２の貯湯タンク３と補助熱源機５は配管長の長い出湯通路７の外部出湯通路部７ｃを介して接続されている。尚、外部の主熱源機４としては、ヒートポンプ式熱源機や燃料電池発電装置が活用されるが、特にこれらに限定する必要はなく、適宜変更可能である。
【００２１】
次に、貯湯タンクユニット２について説明する。
図１に示すように、貯湯タンクユニット２は、貯湯タンク３、給水通路６、出湯通路７、湯水循環回路８、混合弁１３等の各種の弁類、各種のセンサ類及び各種のポンプ類、主制御ユニット２０等を備え、これら大部分は外装ケース１１内に収納されて構成されている。
【００２２】
貯湯タンク３は、外部の主熱源機４で加熱された高温の湯水（例えば６５〜９０℃）を貯留可能な密閉タンクで構成され、貯留された湯水の放熱を防ぐ為にタンク周囲は断熱材で覆われている。貯湯タンク３の外周部に、下側から上側に向かって等間隔に複数の温度センサ１７ａ〜１７ｄが順に設けられ、これら複数の温度センサ１７ａ〜１７ｄにより貯湯タンク３内の複数の貯留層の湯水温度が検出される。
【００２３】
給水通路６は、上水源から低温の水を貯湯タンク３等に供給するものであり、上流給水通路部６ａ、下流給水通路部６ｂを有し、上流端が上水源に接続され、下流端が貯湯タンク３の下部に接続されている。上流給水通路部６ａと下流給水通路部６ｂとの間から出湯通路７に接続するバイパス通路１２が分岐されている。上流給水通路部６ａに、温度センサ１７ｅが設けられ、下流給水通路部６ｂに、逆止弁１９ａが設けられている。バイパス通路１２に、逆止弁１９ｂが設けられている。
【００２４】
出湯通路７は、貯湯タンク３に貯湯された湯水を補助熱源機５を介して給湯栓等の所望の給湯先に供給するものであり、上流出湯通路部７ａ、下流出湯通路部７ｂ、外部出湯通路部７ｃ、熱源出湯通路部７ｄを有し、上流端が貯湯タンク３の上部に接続され、下流端が給湯栓等に接続されている。上流出湯通路部７ａに、温度センサ１７ｆと流量センサ１８ａが設けられ、下流出湯通路部７ｂに、温度センサ１７ｇと流量センサ１８ｂが設けられている。
【００２５】
上流出湯通路部７ａと下流出湯通路部７ｂとの間に、混合弁１３が設けられ、この混合弁１３に給水通路６から分岐したバイパス通路１２が接続されている。混合弁１３は、出湯温度が目標給湯設定温度になるように上水源からの低温の水と貯湯タンク３からの高温の湯水の混合比を調整するものである。バイパス通路１２から分岐した分岐通路１４が、下流出湯通路部７ｂに接続され、分岐通路１４に、高温出湯回避用の開閉弁１５が設けられている。
【００２６】
外部出湯通路部７ｃと熱源出湯通路部７ｄとの間に、補助熱源機５が設けられている。尚、外部出湯通路部７ｃの配管長は、貯湯タンクユニット２と補助熱源機５とが離隔状に設置されている構造上、例えば１．５ｍ〜１０ｍ程度と外装ケース１１内に設置された上流出湯通路部７ａや下流出湯通路部７ｂと比較して長く設定されている。
【００２７】
湯水循環回路８は、貯湯タンク３と外部の主熱源機４との間に湯水を循環させて湯水を加熱する閉回路であり、低温側循環通路部８ａ、高温側循環通路部８ｂ等を有し、上流端が貯湯タンク３の下部に接続され、下流端が貯湯タンク３の上部に接続されている。低温側循環通路部８ａと高温側循環通路部８ｂとの間に、外部の主熱源機４が設けられている。低温側循環通路部８ａには、循環ポンプ１６が設けられている。
【００２８】
次に、補助熱源機５について説明する。
図１に示すように、補助熱源機５は、貯湯タンク３から延びる出湯通路７の途中部に設けられた公知のガス給湯器（バイパス式給湯器）で構成されている。補助熱源機５は、貯湯タンク２に高温の湯水が十分にある場合には燃焼禁止状態に設定されているが、混合弁１３の出湯温度又は補助熱源機５の入水温度が低下した場合に限り燃焼禁止状態が解除されて燃焼作動され、目標給湯設定温度となるように貯湯タンクユニット２から流入する湯水を加熱するものである。
【００２９】
即ち、補助熱源機５は、燃焼用空気を供給する為の送風ファン（図示略）、燃料ガスを燃焼させるバーナーユニット５ａ、貯湯タンクユニット２から湯水が流入する入水通路部２１、この入水通路部２１から流入した湯水を燃焼ガスによって加熱する熱交換器２２、この熱交換器２２で加熱された後の湯水の出湯を行う出湯通路部２３、熱交換器２２をバイパスするバイパス通路２４、このバイパス通路２４を流れる湯水の流量を調整するバイパス流量調整弁２５、補助熱源機５を制御する補助制御ユニット２６及び各種のセンサ類等を備え、これら大部分は外装ケース２７内に収納されて構成されている。
【００３０】
熱交換器２２は、湯水の流れ方向の下流側に設けられ且つ燃焼ガスの主として顕熱を回収する顕熱回収用熱交換器２２ａ、湯水の流れ方向の上流側に設けられ且つ顕熱回収後の燃焼排気ガスの主として潜熱を回収する潜熱回収用熱交換器２２ｂ、この潜熱回収用熱交換器２２ｂで発生したドレン水を回収するドレン水回収部（図示略）等を備えている。
【００３１】
入水通路部２１の上流端は、貯湯タンクユニット２から延びる外部出湯通路部７ｃの下流端に接続され、入水通路部２１の下流端は、潜熱回収用熱交換器２２ｂに接続されている。入水通路部２１には、温度センサ２８ａと流量センサ２９が設けられている。入水通路部２１の温度センサ２８ａと流量センサ２９の上流側から分岐されたバイパス通路２４が出湯通路部２３に接続され、この分岐部にバイパス流量調整弁２５が設けられている。
【００３２】
出湯通路部２３の上流端は、顕熱回収用熱交換器２２ａに接続され、出湯通路部２３の下流端は、熱源出湯通路部７ｄの上流端に接続されている。出湯通路部２３のバイパス通路２４が接続される接続部の上流側には、温度センサ２８ｂが設けられ、出湯通路部２３の接続部の下流側には、温度センサ２８ｃが設けられている。
【００３３】
バイパス流量調整弁２５において、タンク出湯中は、パイパス通路３０の流量と熱交換器２２側の流量が２：１となるように弁ポジションがバイパス通路３０側に調整され、バックアップ出湯中は、熱交換器２２で加熱された高温の湯水とバイパス通路３０を流れる低温の湯水とを混合調整して給湯設定温度の湯水が補助熱源機５から出湯されるように弁ポジションが適宜調整される。尚、タンク出湯からバックアップ出湯に切り換わる際には、バイパス流量調整弁２５は、後述するアンダー抑制運転に基づき制御される。
【００３４】
次に、制御ユニット９について説明する。
この貯湯給湯装置１は、主制御ユニット２０と補助制御ユニット２６からなる制御ユニット９によって制御される。貯湯タンクユニット２側において、各種のセンサの検出信号が主制御ユニット２０に送信され、補助熱源機５側において、各種のセンサ類の検出信号が補助制御ユニット２６に送信され、これら主制御ユニット２０と補助制御ユニット２６によって、貯湯タンクユニット２の動作、主熱源機４の動作、補助熱源機５の動作、各種のポンプ類の作動・停止、各種の弁類の開閉状態の切り換え及び開度調整等を制御し、各種運転（貯湯運転、出湯運転等）を実行する。
【００３５】
主制御ユニット２０は、補助熱源機５の補助制御ユニット２６とデータ通信可能であり、また、主制御ユニット２０は、ユーザーが操作可能な操作リモコン（図示略）とデータ通信可能である。操作リモコンのスイッチ操作により各種の運転が設定されると、その指令信号が操作リモコンから主制御ユニット２０に送信される。例えば、操作リモコンのスイッチ操作により目標給湯設定温度が設定されると、その目標給湯設定温度データが操作リモコンから主制御ユニット２０に送信される。
【００３６】
さらに、制御ユニット９は、貯湯タンク３の湯水の貯留状況に応じて又は貯湯タンク３からの湯水の出湯温度（混合弁１３の出湯温度又は補助熱源機５の入水温度）に応じて補助熱源機５の燃焼及び燃焼禁止の制御を実行可能である。即ち、制御ユニット９の主制御ユニット２０は、補助制御ユニット２６とのデータ通信を介して補助熱源機５の燃焼可否を指令可能である。
【００３７】
次に、本発明に関連するタンク出湯からバックアップ出湯に切り換わる際におけるアンダー抑制運転制御について説明する。
制御ユニット９は、タンク出湯からバックアップ出湯に切り換える為に、給湯運転中に補助熱源機５の燃焼禁止状態を解除した際には、補助熱源機５を燃焼運転に移行させると共に、バイパス流量調整弁２５の開度をバイパス通路２４の流量が低減する絞り動作を行い、少なくとも補助熱源機５の燃焼運転が開始される迄、バイパス流量調整弁２５の絞り動作を継続するアンダー抑制運転制御を実行可能である。
【００３８】
次に、給湯運転中に、タンク出湯からバックアップ出湯に切り換わる際に、制御ユニット９により自動的に実行される、アンダー抑制運転制御について、図２のフローチャートに基づいて説明する。このアンダー抑制運転制御プログラムは、制御ユニット９に予め格納されている。
【００３９】
尚、図３には、タンク出湯からバックアップ出湯に切り換わる際の混合弁１３の出湯温度、補助熱源機５の入水温度及び出湯温度、バイパス流量調整弁２５等の時間に対する変化を図示している。バイパス流量調整弁２５の弁ポジションは、単に変化傾向を示すものであり、具体的な値を示しているものではない。
【００４０】
図２のフローチャートにおいて、この制御が開始されると、最初にＳ１において、制御ユニット９は、給湯運転中に、タンク出湯からバックアップ出湯に切り換わる条件が成立しているか否かを判定する。例えば、貯湯タンク３の湯切れが発生することで、貯湯タンクユニット２から給湯設定温度の湯水の出湯ができなくなった場合、即ち、タンク出湯からバックアップ出湯に切り換わる為の条件が成立している場合には、Ｓ１の判定がＹｅｓとなり、Ｓ２に移行し、Ｓ１の判定がＮｏのうちはＳ１を繰り返す。
【００４１】
尚、タンク出湯からバックアップ出湯に切り換わる為の条件が成立している場合、補助熱源機５による湯水の過加熱を防止する為に、貯湯タンク３から出湯される湯水を、混合弁１３で低温の水と混合して、給湯設定温度（例えば４０℃）より低い所定温度に温度調整し、この温度調整された湯水を補助熱源機５へ供給する。
【００４２】
次に、Ｓ２において、制御ユニット９は、補助熱源機側５の温度センサ２８ａの検知信号を読み込み、この検知信号に基づいて、入水通路部２１を流れる湯水温度（補助熱源機５の入水温度）を算出し、Ｓ３に移行し、湯水温度が設定温度（例えば３５℃）以下か否かを判定し、湯水温度が設定温度以下の場合には、Ｓ３の判定がＹｅｓとなり、Ｓ４に移行し、Ｓ３の判定がＮｏのうちはＳ２，Ｓ３を繰り返す。
【００４３】
次に、Ｓ４において、制御ユニット９は、補助熱源機５の燃焼禁止状態の解除を実行する。即ち、Ｓ３にて、主制御ユニット２０が、補助制御ユニット２６から補助熱源機５の入水温度の低下に基づく信号を受信した場合、Ｓ４にて、主制御ユニット２０は、補助熱源機５の補助制御ユニット２６へ燃焼禁止解除指令信号を送信し、補助熱源機５を燃焼運転可能状態に設定し、Ｓ５に移行する。
【００４４】
次に、Ｓ５において、制御ユニット９は、補助熱源機５を燃焼運転に移行させると共に、バイパス流量調整弁２５の開度をバイパス通路２４の流量が低減する絞り動作を行い、Ｓ６に移行する。即ち、補助熱源機５の燃焼運転への移行期間中は、バイパス流量調整弁２５を、パイパス通路３０の流量と熱交換器２２側の流量が１：２程度となるように弁ポジションを熱交換器２２側に調整する。
【００４５】
尚、Ｓ５の補助熱源機５の燃焼運転への移行期間中、補助熱源機５は、バーナーユニット５ａに燃料ガスを供給する前に、図示略の送風ファンを回転駆動することで、補助熱源機５の燃焼室のプリパージを行い、その後、バーナーユニット５ａに燃料ガスを供給すると共に着火動作を実行することで、補助熱源機５の燃焼運転を開始する。
【００４６】
次に、Ｓ６において、制御ユニット９は、補助熱源機５が燃焼運転を開始したか否かを判定する。例えば、補助熱源機５の着火動作が完了した場合又は温度センサ２８ｂの検知に応じて補助熱源機５の缶体温度が設定温度を越えている場合、即ち、補助熱源機５が燃焼運転を開始していると判定した場合には、Ｓ６の判定がＹｅｓとなり、Ｓ７に移行し、補助熱源機５が燃焼運転を開始していない場合には、Ｓ６の判定がＮｏとなり、Ｓ６の判定がＮｏのうちはＳ６を繰り返す。
【００４７】
次に、Ｓ７において、制御ユニット９は、バイパス流量調整弁２５の絞り動作を終了する。即ち、制御ユニット９は、少なくとも補助熱源機５の燃焼運転が開始される迄、バイパス流量調整弁２５の絞り動作を継続し、補助熱源機５の燃焼運転開始後、バイパス流量調整弁２５を補助熱源機５から給湯設定温度の湯水が出湯されるように通常の調整制御に移行し、この一連のアンダー抑制運転制御を終了し、リターンする。
【００４８】
次に、本発明の貯湯給湯装置１の作用及び効果について説明する。
通常のタンク出湯中、貯湯タンク３にかかる給水圧によって貯湯タンク３の上部から高温の湯水が上流出湯通路部７ａに押し出され、この高温の湯水は混合弁１３においてバイパス通路１２から供給される低温の水と混合されて給湯設定温度に調整され、この給湯設定温度の湯水の大部分は、燃焼禁止状態の補助熱源機５のバイパス通路２４を経由して給湯栓から出湯される。
【００４９】
尚、補助熱源機５の内部において、バイパス流量調整弁２４は、熱交換器２２側を完全には閉止状態に設定しないので、給湯設定温度の湯水の一部は、入水通路部２１のバイパス通路２３が分岐する分岐部から下流側を通って熱交換器２２に流れ、この熱交換器２２から出湯通路部２３のバイパス通路２１が合流する合流部から上流側を通ることで、熱交換器２２側に給湯設定温度の湯水が溜まる。
【００５０】
一方、バックアップ出湯では、貯湯タンク３にかかる給水圧によって貯湯タンク３の上部から温度低下した湯水が上流出湯通路部７ａに押し出され、この湯水は混合弁１３においてバイパス通路１２から供給される低温の水と混合されて給湯設定温度より低い設定温度の湯水に調整される。
【００５１】
次に、上記の設定温度の湯水は、下流出湯通路部７ｂと外部出湯通路部７ｃとを通って補助熱源機５に送られ、補助熱源機５内でバイパス流量調整弁２４の開度に応じて熱交換器２２側とバイパス通路２４とに分流され、補助熱源機５の熱交換器２２で加熱された高温の湯水とバイパス通路２４を流れた湯水とが混合されて給湯設定温度に調整され、熱源出湯通路部７ｄを通って給湯栓から出湯される。
【００５２】
ところで、タンク出湯からバックアップ出湯への切り換え時に、上記のアンダー抑制運転制御を実行する場合、図３に示すように、混合弁１３の出湯運度及び補助熱源機５の入水温度の低下に基づき補助熱源機５の燃焼禁止状態が解除されると（図３の時間ｔ１参照）、バイパス流量調整弁２５の開度が、バイパス通路２４の流量が低減するよう且つ熱交換器側２２の流量が増大するように熱交換器２２側に調整される。
【００５３】
補助熱源機５は、燃焼禁止状態の解除後に瞬時には燃焼運転を開始することできず、また、制御ユニット９と補助制御ユニット２６との間のデータ通信速度の影響により、補助熱源機５には、ある程度の量の低温の湯水が流入するが、この低温の湯水の大部分は入水通路部２１を介して熱交換器２２側に流れ、タンク出湯中に熱交換器２２側に溜まった給湯設定温度の湯水を出湯通路部２３に押し流すことで、給湯設定温度の湯水が補助熱源機５から一定時間出湯される。
【００５４】
その後、補助熱源機５の燃焼運転が開始される迄、バイパス流量調整弁２５の絞り動作を継続し、補助熱源機５の燃焼運転が開始すると（図３の時間ｔ２参照）、バイパス流量調整弁２５の絞り動作を解除して、通常のバックアップ出湯に移行することで、補助熱源機５の燃焼禁止状態解除後の補助熱源機５からの出湯温度の低下を抑制し、補助熱源機５から給湯設定温度である４０℃の湯水が安定して出湯可能である。
【００５５】
以上説明したように、制御ユニット９は、給湯運転中に補助熱源機５の燃焼禁止状態を解除した際には、補助熱源機５を燃焼運転に移行させると共に、バイパス流量調整弁２５の開度をバイパス通路２４の流量が低減する絞り動作を行うので、タンク出湯からバックアップ出湯に切り換わる際の補助熱源機５の燃焼運転への移行期間中は、補助熱源機５の熱交換器２２側に溜まっている湯水を優先的に補助熱源機５から出湯することで、バイパス通路２４を通って低温の湯水が出湯されるのを極力防止することができる。
【００５６】
即ち、補助熱源機５の熱交換器２２側の配管保有水量は、一般的に、バイパス通路２４の配管保有水量と比較して多いので、バイパス流量調整弁２５をバイパス通路２４の流量を低減して熱交換器２２側の流量を増加するように調整することで、熱交換器側２２に溜まっていた給湯設定温度の湯水を一定時間出湯することができ、故に、補助熱源機５からの出湯温度の低下を防止して出湯特性を改善することができ、使用者に不要な不安感や不信感を与えてしまうことを防止することができる。
【００５７】
また、制御ユニット９は、少なくとも補助熱源機５の燃焼運転が開始される迄、バイパス流量調整弁２５の絞り動作を継続するので、タンク出湯からバックアップ出湯に切り換わる際の補助熱源機５の燃焼運転への移行期間中は、補助熱源機５から給湯設定温度の湯水を出湯可能である。補助熱源機５の燃焼運転開始後には、バイパス流量調整弁２５は補助熱源機５からの出湯温度が給湯設定温度となるように適宜調整される。
【００５８】
次に、前記実施例を部分的に変更した形態について説明する。
［１］前記実施例において、アンダー抑制運転制御のＳ２において、補助熱源機５の入水温度に基づいて、補助熱源機５の燃焼可否の判定を行っているが、特にこの条件に限定する必要はなく、貯湯タンクユニット２側の温度センサ１７ｇの検知信号を読み込み、この検知信号に基づいて、下流出湯通路部７ｂと外部出湯通路部７ｃを流れる湯水温度（混合弁１７の出湯温度）を算出し、この混合弁１３の出湯温度に基づいて、補助熱源機５の燃焼可否の判定を行っても良い。
【００５９】
［２］前記実施例において、アンダー抑制運転制御のＳ４の後に、温度センサ２８ｂの検知信号を読み込み、この検知信号に基づいて補助熱源機５の缶体温度を算出し、この缶体温度が設定温度（給湯設定温度又は給湯設定温度−所定温度（例えば１．５℃））以上の場合には、Ｓ５へ移行し、アンダー抑制運転制御を継続し、缶体温度が設定温度未満の場合には、バイパス流量調整弁２５のバイパス側絞り動作を実行せずに、アンダー抑制運転制御を終了しても良い。
【００６０】
［３］前記実施例のアンダー抑制運転制御において、給湯設定温度、設定温度や所定温度等の各種の温度は、ほんの一例を示したに過ぎず、貯湯給湯装置１の能力に応じて、適宜変更可能である。
【００６１】
［４］その他、当業者であれば、本発明の趣旨を逸脱することなく、前記実施例に種々の変更を付加した形態で実施可能であり、本発明はそのような変更形態を包含するものである。
【符号の説明】
【００６２】
１      貯湯給湯装置
３      貯湯タンク
５      補助熱源機
７      出湯通路
９      制御ユニット（制御手段）
２２    熱交換器
２４    バイパス通路
２５    バイパス流量調整弁（バイパス流量調整手段）
【図１】
2016180539.tif 000003
【図２】
2016180539.tif 000004
【図３】
2016180539.tif 000005
【図４】
2016180539.tif 000006